(57)【要約】【課題】真空食品容器留め金ロックと排気弁連動機構の提供。【解決手段】本考案は一種の真空食品容器留め金ロックと排気弁連動機構に関わるものである。主に開ける蓋体及び蓋体に密着したベースにより、食品保存の箱体を構成する。蓋体とベースの間に留め金ロックを設け、該留め金ロックは四角形の係止め塊により、ベースのＵ型溝内部の栓及びばねに圧迫して、気孔を塞いでおく、留め金ロックはベースの伸縮ばねスイッチに圧迫して、真空ポンプを起動し、箱体内部の空気を抜き出す。留め金ロックの係止め塊の縁が締結位置を離れると、栓及びばねに対する圧迫働きが解除され、ばねの戻り力量により、栓を気孔位置から突き出して、箱体内部の空気は外部に連絡し、圧力解除の目的を実現する。【選択図】図２
0003127960.tif 000002
【実用新案登録請求の範囲】
【請求項１】
開ける蓋体及び蓋体に密着したベースにより、食品保存の箱体を構成し、蓋体とベースとの間に締結スイッチを設け、ベース内部に排気ポンプ、真空センサー、連結配管及び電子制御回路などの公知技術の素子を設け、留め金ロックはピンより、上部締結部材と下部締結部材を一体化に連結し、そのうち、下部締結部材に係止め塊を設け、該係止め塊の位置に合わせて、底部に溝部を設け、溝の底部に気孔を開けて、箱体に連絡し、箱体内部に栓とばねを設け、留め金ロックが閉鎖するとき、該係止め塊の突起部により、栓を突き出して、バネを圧迫し気孔を塞いでおくことを特徴とする一種の真空食品容器留め金ロックと排気弁連動機構。
【請求項２】
係止め塊は外力により、その位置を改変し、栓とばねを係止めた位置から引き離し、栓とばねとの圧迫力量を解除した後、ばねの戻り力量により、栓を気孔外部に突き出して、箱体は外部に連絡できることを特徴とする請求項１記載の真空食品容器留め金ロックと排気弁連動機構。
【考案の詳細な説明】
【技術分野】
【０００１】
本考案は真空食品容器（ｖａｃｕｕｍｅｄ  ｆｏｏｄ  ｃｏｎｔａｉｎｅｒ）、特に一種の留め金ロック（ｓｎａｐ  ｄｏｗｎ  ｌｏｃｋ）と排気弁（ｒｅｌｅａｓｅ  ｖａｌｖｅ）との連動機構に関わるものである。
【背景技術】
【０００２】
真空食品容器は、一種の手動ポンプ又はモータにより、容器内部の空気を抜き出して真空状態により、容器内部の食品の酸化変質を防止し、長期間保存の効果を図る。
【０００３】
特許文献１及び特許文献２は、一種の自動真空食品容器において、開ける蓋板と蓋体に密着したベースにより、食品保存の箱体を構成する。蓋板と蓋体とベースとの間に、留め金ロックを有し、蓋体の天面に排気弁を設け、ベース内部に排気ポンプ、真空センサー、連結配管及び電子制御回路などを設ける。そのうち、蓋体の点面に設ける排気弁の構造について、通常は蓋体に凹み溝を設け、凹み溝に固定棒、気孔、及びボタンを備えた取り付け台を設けるほか、ボタン部にばねとゴム栓を設け、ゴム栓は気体の進入を防止するため、気孔を常に塞いでおく、蓋体を開けるとき、ボタンを押すことにより、ゴム栓を気孔から離し圧力解除した後、蓋体を開ける。
【０００４】
【特許文献１】台湾特許第Ｍ２７４３２９号明細書
【特許文献２】台湾特許第Ｍ２８２９４５号明細書
【考案の開示】
【考案が解決しようとする課題】
【０００５】
留め金ロックを上方向に持ち上げて開くことにより、圧力開放弁は密閉状態を解除し、排気状態にして、上蓋を開けることのできる、一種の真空食品容器留め金ロックと排気弁連動機構を提供することを本考案の主な目的である。
【０００６】
留め金ロックを下方向に抑えることにより、真空スイッチを起動して、真空食品容器内部の空気を抜き出すことのできる、一種の真空食品容器留め金ロックと排気弁連動機構を提供することを本考案のもう一つの目的である。
【０００７】
前記の目的を達成するため、本考案の真空食品容器留め金ロックと排気弁連動機構は、主に開ける蓋体及び蓋体に密着したベースにより、食品保存の箱体を構成する。蓋体とベースの間に留め金ロックを設け、該留め金ロックは四角形の係止め塊により、ベースのＵ型溝内部の栓及びばねに圧迫して、気孔を塞いでおく、留め金ロックはベースの伸縮ばねスイッチに圧迫して、真空ポンプを起動し、箱体内部の空気を抜き出す。留め金ロックの係止め塊の縁が締結位置を離れると、栓及びばねに対する圧迫働きが解除され、ばねの戻り力量により、栓を気孔位置から突き出して、箱体内部の空気は外部に連絡し、圧力解除の目的を実現する。
【課題を解決するための手段】
【０００８】
請求項１の考案は、開ける蓋体及び蓋体に密着したベースにより、食品保存の箱体を構成し、蓋体とベースとの間に締結スイッチを設け、ベース内部に排気ポンプ、真空センサー、連結配管及び電子制御回路などの公知技術の素子を設け、留め金ロックはピンより、上部締結部材と下部締結部材を一体化に連結し、そのうち、下部締結部材に係止め塊を設け、該係止め塊の位置に合わせて、底部に溝部を設け、溝の底部に気孔を開けて、箱体に連絡し、箱体内部に栓とばねを設け、留め金ロックが閉鎖するとき、該係止め塊の突起部により、栓を突き出して、バネを圧迫し気孔を塞いでおくことを特徴とする一種の真空食品容器留め金ロックと排気弁連動機構としている。
請求項２の考案は、係止め塊は外力により、その位置を改変し、栓とばねを係止めた位置から引き離し、栓とばねとの圧迫力量を解除した後、ばねの戻り力量により、栓を気孔外部に突き出して、箱体は外部に連絡できることを特徴とする請求項１記載の真空食品容器留め金ロックと排気弁連動機構としている。
【考案の効果】
【０００９】
本考案の真空食品容器の留め金ロックと排気弁連動機構は、留め金ロックを上方向に持ち上げて開くことにより、圧力開放弁は密閉状態を解除し、排気状態にして、上蓋を開けることができる。一方、留め金ロックを下方向に移動して閉合すると、真空スイッチを圧迫し起動して、真空食品容器内部の空気を抜き出すことができる。
【考案を実施するための最良の形態】
【００１０】
図１は本考案の留め金ロックが閉合状態の断面図、図１Ｂは局所拡大図である。
【００１１】
図示のとおり、本考案の真空食品容器は、開ける蓋体１及び蓋体１に密着したベース２により、食品保存の箱体３を構成する。蓋体１とベース２との間に、留め金ロック４を設け、ベース２内部に排気ポンプ、真空センサー、連結配管及び電子制御回路などの公知の素子を設ける（図示しない）。留め金ロック４は二段式の締結部材を連結して構成する。そのうち、上部締結部材４１はその爪部４１１により、蓋体１端面の溝部１１に締結し、下部締結部材４２はピン（ｐｉｎ）により、上部締結部材４１と一体化に連結する。上部締結部材４１を移動して、連結ピンを支点に、上部締結部材４１爪部４１１を蓋体１端面の溝部１１に締結または引き離す制御を行い、開閉の目的を実現する。
【００１２】
図２に示すとおり、下部締結部材４２に四角形係止め塊４２１を設け、該四角形係止め塊４２１の場所に合わせて、ベース２にＵ型溝２１を設ける。該Ｕ型溝２１底部に気孔２２を開けて、箱体３に連絡する。Ｕ型溝２１内部に栓５とばね６を設ける。留め金ロック４が閉合状態のとき、該四角形係止め塊４２１はその縁４２２を栓５に支えて、ばね６を圧迫し気孔２２を塞いでおく、このとき、箱体３は外部と隔離状態になる。
【００１３】
下部締結部材４２に合わせて、ラッチ部４２３はベース２に伸縮式ばねスイッチ７を設け、該ばねスイッチ７により、空気ポンプを起動する（図示しない）。留め金ロック４が閉鎖状態のとき、該下部締結部材４２のラッチ部４２３はばねスイッチ７を圧迫し、空気ポンプを起動して、箱体３内部の空気は真空センサー（図示しない）を通過し、箱体３内部が真空状態になったとき、空気ポンプの電源を切断する（この点は、公知技術のため、省略する。）
【００１４】
図３は本考案の留め金ロックが閉合状態の断面図、図４は局所拡大図である。
【００１５】
図示のとおり、下部締結部材４２のラッチ部４２３、四角形係止め塊４２１は逆時計方向に回して、いままで栓５とばね６の縁４２２に支える位置は下方に移動し、平坦部４２４は栓５に合わせて、栓５とばね６の圧迫を解除する。ばね６の戻り力量により、栓５を気孔２２の閉鎖位置を突き出した後、箱体３は気孔２２により外部に連絡し、圧力解除して、上蓋１を開ける。このとき、下部締結部材４２のラッチ部４２３はばねスイッチ７にいままで圧迫していた位置から引き離す。
【図面の簡単な説明】
【００１６】
【図１】本考案の留め金ロックが閉合状態の断面図である。
【図２】図１の局所拡大図である。
【図３】本考案の留め金ロックが開放状態の断面図、及び本考案の留め金ロックが開放状態の断面図である。
【図４】図３の局所拡大図である。
【符号の説明】
【００１７】
１  蓋体
１１  溝部
２  ベース
２１  Ｕ型溝
２２  気孔
３  箱体
４  留め金ロック
４１  上部締結部材
４１１  爪部
４２  下部締結部材
４２１  係止め塊
４２２  縁
４２３  ラッチ部
４２４  平坦部
５  栓
６  ばね
７  ばねスイッチ
【図１】
0003127960.tif 000003
【図２】
0003127960.tif 000004
【図３】
0003127960.tif 000005
【図４】
0003127960.tif 000006
【手続補正書】
【提出日】平成18年10月24日(2006.10.24)
【手続補正１】
【補正対象書類名】実用新案登録請求の範囲
【補正対象項目名】全文
【補正方法】変更
【補正の内容】
【実用新案登録請求の範囲】
【請求項１】
開ける蓋体及び蓋体に密着したベースにより、食品保存の箱体を構成し、蓋体とベースとの間に締結スイッチを設け、ベース内部に排気ポンプ、真空センサー、連結配管及び電子制御回路などの素子を設け、留め金ロックはピンより、上部締結部材と下部締結部材を一体化に連結し、そのうち、下部締結部材に係止め塊を設け、該係止め塊の位置に合わせて、底部に溝部を設け、溝の底部に気孔を開けて、箱体に連絡し、箱体内部に栓とばねを設け、留め金ロックが閉鎖するとき、該係止め塊の突起部により、栓を突き出して、バネを圧迫し気孔を塞いでおくことを特徴とする一種の真空食品容器留め金ロックと排気弁連動機構。
【請求項２】
係止め塊は外力により、その位置を改変し、栓とばねを係止めた位置から引き離し、栓とばねとの圧迫力量を解除した後、ばねの戻り力量により、栓を気孔外部に突き出して、箱体は外部に連絡できることを特徴とする請求項１記載の真空食品容器留め金ロックと排気弁連動機構。
【手続補正２】
【補正対象書類名】明細書
【補正対象項目名】０００８
【補正方法】変更
【補正の内容】
【０００８】
請求項１の考案は、開ける蓋体及び蓋体に密着したベースにより、食品保存の箱体を構成し、蓋体とベースとの間に締結スイッチを設け、ベース内部に排気ポンプ、真空センサー、連結配管及び電子制御回路などの素子を設け、留め金ロックはピンより、上部締結部材と下部締結部材を一体化に連結し、そのうち、下部締結部材に係止め塊を設け、該係止め塊の位置に合わせて、底部に溝部を設け、溝の底部に気孔を開けて、箱体に連絡し、箱体内部に栓とばねを設け、留め金ロックが閉鎖するとき、該係止め塊の突起部により、栓を突き出して、バネを圧迫し気孔を塞いでおくことを特徴とする一種の真空食品容器留め金ロックと排気弁連動機構としている。
請求項２の考案は、係止め塊は外力により、その位置を改変し、栓とばねを係止めた位置から引き離し、栓とばねとの圧迫力量を解除した後、ばねの戻り力量により、栓を気孔外部に突き出して、箱体は外部に連絡できることを特徴とする請求項１記載の真空食品容器留め金ロックと排気弁連動機構としている。